(57)【要約】      （修正有）【課題】光学素子群を搭載したスライドベースのＴａズレ調整に際して、スライドベースに高さ変動を生じさせることなく、確実にＴａズレ調整を行えるようにすること。【解決手段】スライドベース１０には、主ガイド軸受け保持部材２０と常時当接するとともに、光ディスク面と直交する方向に位置調整が可能で、かつ、この光ディスク面と直交する方向への位置調整で、スライドベース１０に対して光ディスク面と平行でかつ光ヘッド走査方向と直交する方向への変位を与える位置調整部材７０を取り付けて、位置調整部材７０を光ディスク面と直交する方向に位置調整することにより、光ディスク面と平行でかつ光ヘッド走査方向と直交する方向における、スライドベース１０と主ガイド軸受け保持部材２０との相対位置関係のみを、調整可能なように構成する。【選択図】      図３
2004185740.tif 000002
【特許請求の範囲】
【請求項１】
光学素子群および該光学素子群中の対物レンズのレンズアクチュエータを搭載したスライドベースと、主ガイド軸に挿通・案内されるとともに前記スライドベースが位置調整可能に取り付けられる主ガイド軸受け保持部材とを備え、前記スライドベースおよび主ガイド軸受け保持部材が一体となって光ディスクの半径方向に沿って走査される光ヘッド装置であって、
前記スライドベースには、前記主ガイド軸受け保持部材と常時当接するとともに、光ディスク面と直交する方向に位置調整が可能で、かつ、この光ディスク面と直交する方向への位置調整で、前記スライドベースに対して光ディスク面と平行でかつ光ヘッド走査方向と直交する方向への変位を与える位置調整部材を取り付けて、
前記位置調整部材を光ディスク面と直交する方向に位置調整することにより、光ディスク面と平行でかつ光ヘッド走査方向と直交する方向における、前記スライドベースと前記主ガイド軸受け保持部材との相対位置関係のみを、調整可能なように構成したことを特徴とする光ヘッド装置。
【請求項２】
請求項１記載において、
前記スライドベースは金属板製とされ、このスライドベースに板バネ部を一体に形成して、この板バネ部と前記位置調整部材とによって前記主ガイド軸受け保持部材を弾性的に挟み込むとともに、前記板バネ部によって、前記主ガイド軸受け保持部材と前記スライドベースの主体部とを常時密接させ、
前記位置調整部材における前記主ガイド軸受け保持部材との当接部位には、テーパ部を形成したことを特徴とする光ヘッド装置。
【請求項３】
請求項１または２記載において、
前記スライドベースと前記位置調整部材は、その一方に設けた光ディスク面と直交する方向に延びたガイド切欠きと、その他方に設けた突部との係合によって組み付けられて、前記位置調整部材を前記スライドベースに対して光ディスク面と直交する方向にのみ変位可能にし、
前記位置調整部材に螺合した調整ネジを回転させることによって、前記位置調整部材を光ディスク面と直交する方向に変位させるようにしたことを特徴とする光ヘッド装置。
【発明の詳細な説明】
【０００１】
【発明の属する技術分野】
本発明は、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＭＤ（Ｍｉｎｉ  Ｄｉｓｃ）、ＭＯ（Ｍａｇｎｅｔｉｃ  Ｏｐｔｉｃａｌ  Ｄｉｓｃ）等の、光学的に再生を行うディスクを記録媒体とするディスク記録再生装置あるいはディスク再生装置に搭載される光ヘッド装置に関するものである。なお、本明細書では、光学的に再生を行うディスクをＭＯを含めて光ディスクと称する。
【０００２】
【従来の技術】
高密度記録された光ディスクを記録媒体とする光ディスク装置の光ヘッドにおいては、その組立工程で、ディスク面に対して対物レンズの光軸が直交するように、スキュー調整と呼ばれる作業工程を行う必要がある。スキュー調整は、光ヘッドが光ディスクを走査する半径方向（以降、Ｒａ方向と称す）のラジアル・スキュー調整（Ｒａスキュー調整）と、光ヘッドが光ディスクを走査するＲａ方向とディスク面上で直交する方向（以降、Ｔａ方向と称す）のタンジェンシャル・スキュー調整（Ｔａスキュー調整）とがある。
【０００３】
ところで、高密度記録に加えて記録容量の増加のためにディスク内周寄りにデータ領域が進出してくると、ディスク面上にデータの記録されたピットと呼ばれる同心円状または螺旋状に連続した記録部の軌跡（以降、トラックと称す）が、ディスク中心部ほど光ヘッドのビームスポット近傍での微視的な範囲でのトラックの曲率が高くなり、上記のスキュー調整を実施した後、その調整機構の構造によってはＴａ方向にズレが発生することがあり、トラッキング方式に３ビーム方式などを採用している場合においては、特にディスク内周付近でトラッキングサーボが困難あるいは不可能となるような現象が著しくなる。
【０００４】
そこで、光ヘッド（光ヘッド装置）の内部で、光源部と一体化あるいは光源直後に配置した回折格子の回転角調整などを行って、前記Ｔａ方向のズレを補正する方法などが考えられるが、通常、光ヘッドは光学系が調整済の状態でスピンドルモータの属するメカユニットに組み込まれるために、量産工程的に、またディスクメカユニットの構造的に、光ヘッドを前記メカユニットに組み込んだ後に前記回折格子の回転角調整を行うのは困難である。
【０００５】
従来の光ヘッド装置の例を、図５および図６に基づいて以下に説明する。図５の（ａ）は従来の光ヘッド装置の俯瞰した斜視図、図５の（ｂ）は従来の光ヘッド装置の仰視した斜視図、図６の（ａ）は従来の光ヘッド装置の底面図、図６の（ｂ）は図６の（ａ）のＡ−Ａ線に沿った断面図、図６の（ｃ）は図６の（ａ）のＢ−Ｂ線に沿った断面図である。なお、図５、図６においては、Ｔａ方向のズレを補正するために用いる調整治具を併せて描いてある。
【０００６】
図５、図６において、１１０はスライドベース、１２０は主ガイド軸受け保持部材、５０は主ガイド軸、６０は副ガイド軸、１３０は調整治具である。スライドベース１１０と主ガイド軸受け保持部材１２０とは一体に組み付けられ、主ガイド軸受け保持部材１２０には、メカユニットに両端を保持される主ガイド軸５０が挿通され、スライドベース１１０には、メカユニットに両端を保持される副ガイド軸５０が挿通されて、スライドベース１１０と主ガイド軸受け保持部材１２０は一体となって、２本のガイド軸５０、６０に沿って移送されるようになっている。スライドベース１１０には、ビーム光源および戻り光を検出する受光素子などの光学素子群３０、光学素子群３０中の対物レンズ３１のレンズアクチュエータ４０が搭載されている。
【０００７】
前記スライドベース１１０は金属板をプレス加工することによって形成されており、このスライドベース１１０には、副ガイド軸６０を挟支する切欠き部１１０ａ（図５の（ａ））と、主ガイド軸受け保持部材１２０に螺合するネジ１４０（図５の（ｂ））を挿通し、かつＴａズレ調整の妨げにならないように穿設された一対の長穴部１１０ｂ、１１０ｂ（図６の（ａ））と、主ガイド軸受け保持部材１２０のリブ状のガイド部が嵌り、スライドベース１１０を主ガイド軸受け保持部材１２０に対してＴａ方向にのみ移動調整可能にするガイド穴部１１０ｃ（図５の（ｂ）、図６）と、調整治具１３０の偏心部１３０ｂ（図５の（ａ））が嵌り、調整治具１３０が回転することによりスライドベース１１０を主ガイド軸受け保持部材１２０に対してＴａ方向にのみ移動させるための調整用穴部１１０ｄ（図５の（ｂ）、図６の（ａ））と、主ガイド軸５０を遊挿し、主ガイド軸５０がスライドベース１１０に干渉しＴａズレ調整の妨げにならないように穿設された一対の穴部１１０ｅ、１１０ｅ（図５）とが、形成されている。
【０００８】
前記主ガイド軸受け保持部材１２０は、板金以外の鋳造あるいは射出成形などによる成形品からなっており、主ガイド軸５０との摺動状態に応じて一対の焼結金属によるメタル軸受け（図示せず）を圧入装備し、このメタル軸受けに主ガイド軸５０が挿通されるようになっている。この主ガイド軸受け保持部材１２０には、スライドベース１１０を主ガイド軸受け保持部材１２０に固定するためのネジ１４０（図５の（ｂ））が螺合・締結される一対のネジ穴１２０ａ、１２０ａ２（図５の（ａ）、図６の（ａ））と、スライドベース１１０に形成された前記ガイド穴部１１０ｃに嵌って、スライドベース１１０を主ガイド軸受け保持部材２０に対してＴａ方向にのみ移動させるためのリブ状のガイド部１２０ｂ、１２０ｂ（図５の（ｂ）、図６の（ａ）、（ｂ））と、調整治具１３０の先端部１３０ａ（図５の（ａ））が嵌り、Ｔａズレ調整を行なう際に回転する調整治具１３０の回転中心支承部となる治具嵌合穴１２０ｃ（図５の（ｂ）、図６の（ａ））とが、形成されている。
【０００９】
次に、スライドベース１１０を主ガイド軸受け保持部材１２０に対してＴａ方向に平行移動して位置調整をする、Ｔａズレ調整動作について説明する。ここでは、光ディスク装置は、３ビーム法によるトラッキングサーボ方式を採用しているものとする。
【００１０】
フォーカスサーボ調整を完了したものとして、光ディスク（図示せず）を装着し、スピンドルモータ（図示せず）を駆動して光ディスクを回転させる。そして、光ディスクの信号記録面にビーム光を照射し、該ビーム光が信号記録面で反射された戻り光を受光素子によって検出し、これを電気信号に変換してトラッキング用のサブビーム信号を合成したリサージュ波形を観測する。Ｔａズレ調整では、このリサージュ波形の縦横比が規定範囲内になるように、主ガイド軸受け保持部材１２０に対するスライドベース１１０のＴａ方向の位置を、偏心治具１３０を使って調整する。なお、このＴａズレ調整の際には、前記ネジ１４０を緩めて、主ガイド軸受け保持部材１２０に対してスライドベース１１０がＴａ方向に変位調整可能なようにしておく（図６の（ｂ）では、１１０ｂと１２０ａを示すためにネジ１４０は割愛してあるが、Ｔａズレ調整の際にはネジ１４０は緩められる）。
【００１１】
【発明が解決しようとする課題】
上述した従来の装置にあっては、これまでは大量生産的な配慮から、前記スキュー調整作業と前記Ｔａ方向ズレの調整（以降、Ｔａズレ調整と称す）作業とが、同一の製品において要求されることはなく、方式的にスキュー調整、Ｔａズレ調整の両作業とも、あるいは前記いずれかの調整作業が不要となるように（Ｔａズレに影響の大きい対物レンズのＮＡで決定されるＷＤと呼ばれるディスク反射面と光ヘッドの対物レンズとの焦点距離、記録ピット最小長さ及びトラックピッチ、最内周径などについて）余裕が確保された仕様とされていた。
【００１２】
しかしながら、より高密度、かつより大容量、かつより小型・軽量仕様のディスク製品が要求されることを鑑みると、Ｔａ方向ズレ調整作業は、省くことのできない必然の調整作業となってくると予想される。
【００１３】
ところが、上述した従来技術によるＴａ方向ズレ調整では、前記スライドベース１１０とガイド軸受け保持部１２０とを固定する前記ネジ１４０を緩める作業を伴うために、スライドベース１１０の高さ変動を発生させてしまう。しかし、Ｔａ方向ズレ調整時には、光ディスクの信号記録面にビーム光を照射し該ビーム光の信号記録面で反射された戻り光を検出しながら作業を行うため、スライドベースの高さ変動による前記戻り光の検出変動は、可能な限り抑制しなければならない。
【００１４】
本発明は上記の点に鑑みなされたもので、その目的とするところは、Ｔａズレ調整に際して、スライドベースに高さ変動を生じさせることなく、確実にＴａズレ調整を行えるようにすることにある。
【００１５】
【課題を解決するための手段】
本発明は上記した目的を達成するため、
光学素子群および該光学素子群中の対物レンズのレンズアクチュエータを搭載したスライドベースと、主ガイド軸に挿通・案内されるとともに前記スライドベースが位置調整可能に取り付けられる主ガイド軸受け保持部材とを備え、前記スライドベースおよび主ガイド軸受け保持部材が一体となって光ディスクの半径方向に沿って走査される光ヘッド装置において、
前記スライドベースには、前記主ガイド軸受け保持部材と常時当接するとともに、光ディスク面と直交する方向に位置調整が可能で、かつ、この光ディスク面と直交する方向への位置調整で、前記スライドベースに対して光ディスク面と平行でかつ光ヘッド走査方向と直交する方向への変位を与える位置調整部材を取り付けて、
前記位置調整部材を光ディスク面と直交する方向に位置調整することにより、光ディスク面と平行でかつ光ヘッド走査方向と直交する方向における、前記スライドベースと前記主ガイド軸受け保持部材との相対位置関係のみを、調整可能なように構成する。
【００１６】
【発明の実施の形態】
以下、本発明の実施の形態を、図面を用いて説明する。
【００１７】
図１〜図４は本発明の一実施形態に係り、図１の（ａ）は本実施形態の光ヘッド装置の俯瞰した斜視図、図１の（ｂ）は本実施形態の光ヘッド装置の仰視した斜視図、図２の（ａ）は本実施形態の光ヘッド装置の平面図、図２の（ｂ）は図２の（ａ）のＡ−Ａ線に沿った断面図、図２の（ｃ）は図２の（ａ）のＢ−Ｂ線に沿った断面図、図２の（ｄ）は図２の（ａ）のＣ−Ｃ線に沿った断面図、図３は図２の（ｄ）の要部拡大図、図４の（ａ）、（ｂ）は本実施形態の光ヘッド装置におけるスライドベースのＴａズレの様子を示す説明図である。なお、図１〜図３においては、Ｔａ方向のズレを補正するために用いる調整ネジ用ドライバを併せて描いてあり、図４においては、光ディスクおよびスピンドルモータを併せて描いてある。
【００１８】
図１〜図４において、１０はスライドベース、２０は主ガイド軸受け保持部材、３０は光学素子群、４０はレンズアクチュエータ、５０は主ガイド軸、６０は副ガイド軸、７０は位置調整部材、７５は調整ネジ、８０は調整ネジ用ドライバ、９０は光ディスク、１００はスピンドルモータである。
【００１９】
スライドベース１０と主ガイド軸受け保持部材２０と位置調整部材７０とは一体に組み付けられ、主ガイド軸受け保持部材２０には、メカユニット（図示せず）に両端を保持される主ガイド軸５０が挿通され、スライドベース１０には、メカユニット（図示せず）に両端を保持される副ガイド軸５０が挿通されて、スライドベース１０と主ガイド軸受け保持部材２０と位置調整部材７０とは一体となって、２本のガイド軸５０、６０に沿って移送されるようになっている（光ディスクの半径方向に沿って移送（走査）されるようになっている）。また、スライドベース１０には、ビーム光源および戻り光を検出する受光素子などの光学素子群３０、光学素子群３０中の対物レンズ３１のレンズアクチュエータ４０が搭載されており、光学素子群３０に含まれる各光学素子は、スライドベース１０上に形成された各位置決め形状によってあるいは位置決め治具（図示せず）によって、スライドベース１０に直接あるいは保持部材（図示せず）を介して、接着材あるいはネジ止めなどにより取り付けられている。
【００２０】
前記スライドベース１０は金属板をプレス加工することによって形成されており、このスライドベース１０には、副ガイド軸６０を挟支する切欠き部１０ａ（図１の（ａ））と、主ガイド軸５０を遊挿し、主ガイド軸５０がスライドベース１０に干渉しＴａズレ調整の妨げにならないように穿設された一対の穴部１０ｂ、１０ｂ（図１）と、位置調整部材７０に螺合される調整ネジ７５が遊挿される穴部１０ｃ（図３）と、主ガイド軸受け保持部材２０を位置調整部材７０とで弾性的に挟支するための板バネ部１０ｄ（図１〜図４）と、位置調整部材７０を光ディスク面と直交する方向にのみ平行移動可能に案内する一対のガイド切欠き部１０ｅ、１０ｅ（図１）とが形成されている。
【００２１】
主ガイド軸受け保持部材２０は、板金以外の鋳造あるいは射出成形などによる成形品からなっており、一対の焼結金属によるメタル軸受け５５（図２の（ｂ））を圧入装備し、このメタル軸受け５５に主ガイド軸５０が挿通されるようになっている。この主ガイド軸受け保持部材２０は、一部を切り欠いた概略円筒形状を呈し、スライドベース１０の板バネ部１０ｄが当接する部位と調整部材７０の後記テーパ部７０ｂが当接する部位は円弧面となっており、また、スライドベース１０の主体面（光ディスク面と平行な面）と当接する部位は平坦面となっている（図３の主ガイド軸受け保持部材２０の断面を参照）。
【００２２】
位置調整部材７０は、板金以外の鋳造あるいは射出成形などによる成形品からなっており、この位置調整部材７０には、スライドベース１０の前記ガイド切欠き部１０ｅに係合される一対の突部７０ａ、７０ａ（図１）と、主ガイド軸受け保持部材２０と当接するテーパ部７０ｂ（図３）と、調整ネジ７５のネジ部が螺合されるネジ穴７０ｃ（図３）とが形成されている。
【００２３】
上記した構成において、主ガイド軸受け保持部材２０は、スライドベース１０の板バネ部１０ｄによる前記Ｔａ方向への分力（水平方向の分力）によって、調整部材７０のテーパ部７０ｂと常時密着するように押し付けられているとともに、板バネ部１０ｄによる光ディスク面と直交する方向の分力（垂直方向の分力）によって、スライドベース１０の主体面と常時密着するようにスライドベース１０の主体面に押し付けられている。また、調整ネジ７５が螺合された位置調整部材７０は、調整ネジ７５を回転させることによって、光ディスク面と直交する方向に変位できるようになっている。かような構成をとることによって、主ガイド軸受け保持部材２０に対して、スライドベース１０の主体面が常時密着するようになっているので、調整ネジ７５を回転させて位置調整部材７０を光ディスク面と直交する方向に変位させても、スライドベース１０は主ガイド軸受け保持部材２０から浮き上がることなく（高さ変動を生じることなく）、よって、スライドベース１０は、主ガイド軸受け保持部材２０に対してＴａ方向にのみ平行移動できるようになっている。
【００２４】
次に、スライドベース１０を主ガイド軸受け保持部材２０に対してＴａ方向に平行移動調整する、Ｔａズレ調整動作について説明する。本実施形態においても、光ディスク装置は、３ビーム法によるトラッキングサーボ方式を採用しているものとする。また、Ｔａズレ調整を行う前に、フォーカスサーボ調整までが完了しているものとしている。すなわち、本実施形態の光ヘッド装置では、光学素子群３０の組み付け以前に、主ガイド軸受け保持部材２０には、主ガイド軸５０あるいは組付け用基準ガイド軸（図示せず）が挿通され、主ガイド軸受け保持部材２０は、スライドベース１０上に、板バネ部１０ｄと調整ネジ７５が螺合された位置調整部材７０とによって保持されており、この状態で、光学素子位置決め治具台（図示せず）に載置されて光学素子群３０の組み付けを行ない、しかる後、メカシャーシ（図示せず）に搭載されて、フォーカスサーボ調整までが完了したものであるとしている。
【００２５】
上記のように、フォーカスサーボ調整までが完了したものにおいて、光ディスク９０を装着し、スピンドルモータ１００を駆動して光ディスク９０を回転させるとともに、光ディスク９０の信号記録面にビーム光を照射し、該ビーム光が信号記録面で反射された戻り光を受光素子によって検出し、これを電気信号に変換してトラッキング用のサブビーム信号を合成したリサージュ波形を観測する。そして、このリサージュ波形の縦横比が規定範囲内になるように、スライドベース１０のＴａ方向の位置を、調整ネジ用ドライバ８０を使って調整ネジ７５を回転させることによって調整する。
【００２６】
先にも述べたように、位置調整部材７０は、調整ネジ７５を回転させることにより、光ディスク面と直交する方向にのみ変位する。この位置調整部材７０の光ディスク面と直交する方向への変位に伴って、位置調整部材７０のテーパ部７０ｂが主ガイド軸受け保持部材２０の円弧面上を摺動し、これにより、位置調整部材７０が図３の矢印Ｈ方向に変位した場合には、スライドベース１０は主ガイド軸受け保持部材２０に対して、図３の矢印Ｊ方向に変位し、位置調整部材７０が図３の矢印Ｉ方向に変位した場合には、スライドベース１０は主ガイド軸受け保持部材２０に対して、図３の矢印Ｋ方向に変位する。すなわち、位置調整部材７０の光ディスク面と直交する方向への変位によって、スライドベース１０は主ガイド軸受け保持部材２０から浮き上がることなく（高さ変動を生じることなく）、スライドベース１０は主ガイド軸受け保持部材２０に対してＴａ方向にのみ平行移動して、これによってスライドベース１０のＴａズレ調整が達成されるようになっている。
【００２７】
上記のように、スライドベース１０のＴａ方向の位置を調整し、リサージュ波形の縦横比が規定範囲内になるように、スライドベース１０の位置調整がなされたら、調整ネジ用ドライバ８０を調整ネジ７５から離脱させ、これにより、スライドベース１０のＴａズレ調整を完了する。
【００２８】
図４の（ａ）は、スライドベース１０に−ΔｔだけＴａズレが生じている場合を、図４の（ｂ）は、スライドベース１０に＋ΔｔだけＴａズレが生じている場合をそれぞれ示しており、これらのＴａズレを補正するように、スライドベース１０のＴａズレ調整が行われる。
【００２９】
なお、上述した実施形態では、位置調整部材７０を光ディスク面と直交する方向にのみ平行移動可能とするために、スライドベース１０にガイド切欠き部を設け、位置調整部材７０に突部を設けたが、この凹凸の関係は逆であっても差し支えない。
【００３０】
【発明の効果】
以上のように本発明によれば、光学素子群を搭載したスライドベースのＴａズレ調整に際して、スライドベースに高さ変動を生じさせることなく、確実にＴａズレ調整を行え、以って、より高密度、より大容量、より小型の光ディスクに対応可能な光ヘッド装置を提供できる。
また、金属板製のスライドベースに一体に設けた板バネと、調整ネジを螺合させテーパ部をもつ位置調整部材とによって、主ガイド軸受け保持部材を弾性的に挟支させるとともに、スライドベースの主体面と主ガイド軸受け保持部材とを密着させることにより、スライドベースをＴａ方向にのみ平行移動させる機構を、部品点数少なく、簡易に実現でき、また、Ｔａズレ調整も調整ネジを回転させるだけなので、作業性のよいものとなる。
【図面の簡単な説明】
【図１】（ａ）は本発明の一実施形態に係る光ヘッド装置の俯瞰した斜視図、（ｂ）は本発明の一実施形態に係る光ヘッド装置の仰視した斜視図である。
【図２】（ａ）は本発明の一実施形態に係る光ヘッド装置の平面図、（ｂ）は（ａ）のＡ−Ａ線に沿った断面図、（ｃ）は（ａ）のＢ−Ｂ線に沿った断面図、（ｄ）は（ａ）のＣ−Ｃ線に沿った断面図である。
【図３】図２の（ｄ）の要部拡大図である。
【図４】（ａ）、（ｂ）は本発明の一実施形態に係る光ヘッド装置における、スライドベースのＴａズレの様子を示す説明図である。
【図５】（ａ）は従来の光ヘッド装置の俯瞰した斜視図、（ｂ）は従来の光ヘッド装置の仰視した斜視図である。
【図６】（ａ）は従来の光ヘッド装置の底面図、（ｂ）は（ａ）のＡ−Ａ線に沿った断面図、（ｃ）は（ａ）のＢ−Ｂ線に沿った断面図である。
【符号の説明】
１０  スライドベース
１０ｄ  板バネ部
１０ｅ  ガイド切り欠き部
２０  主ガイド軸受け保持部材
３０  光学素子群
４０  レンズアクチュエータ
５０  主ガイド軸
６０  副ガイド軸
７０  位置調整部材
７０ａ  突部
７０ｂ  テーパ部
７０ｃ  ネジ穴
７５  調整ネジ
８０  調整ネジ用ドライバ
９０  光ディスク
１００  スピンドルモータ
【図１】
2004185740.tif 000003
【図２】
2004185740.tif 000004
【図３】
2004185740.tif 000005
【図４】
2004185740.tif 000006
【図５】
2004185740.tif 000007
【図６】
2004185740.tif 000008